(57)【要約】【課題】簡単な構造で自転車や三輪車のハンドルに装着し、ポップカードをしっかりと保持できる、自転車や三輪車のハンドルに装着して使用するに好適なポップカード保持具を提供する。【解決手段】係止片２２が係合孔２３に係合し、ベース面部２１と回動面部２４によるポップカードｃの挟持状態が係止され、且つ、ポップカードの窓孔ｃ２に差し込まれている係止片２２によりポップカードｃの抜けが防止される。よって、ポップカードｃをしっかりと保持することができる。【選択図】  図１
0003114729.tif 000002
【実用新案登録請求の範囲】
【請求項１】
自転車や三輪車のハンドルに着脱可能に装着され、ポップカードを挟持して掲示するハンドル装着型のポップカード保持具であって、前記ハンドルに着脱自在に装着されるハンドル装着部（１）と、該ハンドル装着部に連設されたカード挟持部（２）からなり、
前記カード挟持部（２）が、前記ポップカードの縁部の片面に添うベース面部（２１）と、該ベース面部に起設され前記ポップカードの縁部に設けた窓孔（ｃ２）に差し込まれる係止片（２２）と、前記ベース面部の下端に回動自在に枢着すると共に前記係止片が係脱自在に係合する係合孔（２３）を備えた回動面部（２４）からなり、
前記ベース面部と回動面部で前記ポップカードの縁部を挟持すると共に、前記窓孔に差し込まれる係止片で該ポップカードの抜けを防止するよう形成したことを特徴とするハンドル装着型ポップカード保持具。
【請求項２】
弾性変形により前記ハンドルに着脱自在に嵌合し得る断面略Ｕ字形に形成した前記ハンドル装着部（１）と、該ハンドル装着部の周壁から外方へ延出する連設部（３）と、該連設部の先端側に形成される前記ベース面部（２１）と、を一体成形した第一のパーツと、
前記回動面部（２４）である第二のパーツからなり、
前記ベース面部と前記回動面部の夫々の下端部に設けた凹凸係合部（２５，２６）により、該ベース面部下端に回動面部を回動自在に枢着して、前記第一のパーツと第二のパーツの二部材のみで構成されることを特徴とする請求項１記載のハンドル装着型ポップカード保持具。
【請求項３】
前記カード挟持部（２）でポップカード（ｃ）を挟持すると共に、前記ハンドル装着部（１）を持手とし、団扇としても使用可能であることを特徴とする請求項１又は２記載のポップカード保持具。
【考案の詳細な説明】
【技術分野】
【０００１】
本考案は、店頭などで販売されている自転車や三輪車のハンドルに装着して使用されるポップカード保持具に関する。
【背景技術】
【０００２】
ポップカード保持具として、ポップカードを挟持するクリップ構造のものが知られている（例えば特許文献１など参照）。しかし、特許文献として存在する従来のクリップ型の保持具は、殆どが店内に吊り下げたり商品陳列棚に設置するためのもので、自転車や三輪車のハンドルに装着して使用するものは、本出願人が調査した限り存在しない。
【０００３】
また、自転車や三輪車の販売店などにおいては、ハンドルに着脱自在に装着されるクリップ型のハンドル装着部と、該ハンドル装着部の上端から上方に伸びる自在継手からなる連設部と、該連設部の上端に形成されたカード差込み部からなるポップカード保持具が一部で使われている。ところが、このような従来の保持具では、構造が複雑で高価であると共に、カード差込み部にカードの下縁を差し込むだけの簡素な保持構造のため、ポップカードが抜け易く、店頭に並べた自転車や三輪車に使用した場合、風が吹くとポップカードが脱落する虞れがあった。
【０００４】
【特許文献１】特開平６−４８０８４号公報
【考案の開示】
【考案が解決しようとする課題】
【０００５】
本考案は上述したような従来事情に鑑みてなされたもので、その目的とする処は、簡単な構造で自転車や三輪車のハンドルに装着でき、且つ、ポップカードをしっかりと保持することができる、自転車や三輪車のハンドルに装着して使用するに好適なポップカード保持具を提供することにある。
【課題を解決するための手段】
【０００６】
以上の目的を達成するために、本考案は、自転車や三輪車のハンドルに着脱可能に装着され、ポップカードを挟持して掲示するハンドル装着型のポップカード保持具であって、前記ハンドルに着脱自在に装着されるハンドル装着部（１）と、該ハンドル装着部に連設されたカード挟持部（２）からなり、
前記カード挟持部（２）が、前記ポップカードの縁部の片面に添うベース面部（２１）と、該ベース面部に起設され前記ポップカードの縁部に設けた窓孔（ｃ２）に差し込まれる係止片（２２）と、前記ベース面部の下端に回動自在に枢着すると共に前記係止片が係脱自在に係合する係合孔（２３）を備えた回動面部（２４）からなり、
前記ベース面部と回動面部で前記ポップカードの縁部を挟持すると共に、前記窓孔に差し込まれる係止片で該ポップカードの抜けを防止するよう形成したことを特徴とする。
【０００７】
このような構成によれば、係止片（２２）が係合孔（２３）に係合することで、ベース面部（２１）と回動面部（２４）によるポップカードの挟持状態が係止されると共に、ポップカードの窓孔（ｃ２）に差し込まれている該係止片（２２）によりポップカードの抜けが防止される。よって、ポップカードをしっかりと保持することができる。
【０００８】
また、本考案に係るハンドル装着型ポップカード保持具は、弾性変形により前記ハンドルに着脱自在に嵌合し得る断面略Ｕ字形に形成した前記ハンドル装着部（１）と、該ハンドル装着部の周壁から外方へ延出する連設部（３）と、該連設部の先端側に形成される前記ベース面部（２１）と、を一体成形した第一のパーツと、
前記回動面部（２４）である第二のパーツからなり、
前記ベース面部と前記回動面部の夫々の下端部に設けた凹凸係合部（２５，２６）により、該ベース面部下端に回動面部を回動自在に枢着して、前記第一のパーツと第二のパーツの二部材のみで構成されることを特徴とする。
【０００９】
このような構成とした場合、前述の効果に加えて、二部材のみからなる簡単な構造の保持具としたので、製造、組立てが容易であり、低コストでの提供が可能になるなどの利点がある。
【００１０】
また、本考案に係るハンドル装着型ポップカード保持具は、前記カード挟持部（２）でポップカード（ｃ）を挟持すると共に、前記ハンドル装着部（１）を持手とし、団扇としても使用可能であることを特徴とする。
この場合、ポップカードの掲示のみならず、ポップカードを利用した団扇としても用いることができる。
【考案の効果】
【００１１】
本考案は以上説明したように構成したので、簡単な構造でポップカードをしっかりと保持することが出来、自転車や三輪車のハンドルに装着して使用するポップカード保持具として好適に供することができるなど、多くの効果を奏する。
【考案を実施するための最良の形態】
【００１２】
以下、本考案に係るポップカード保持具の実施形態の一例を、図１〜図６に基づき説明する。
ポップカード保持具Ａは、自転車や三輪車のハンドルｂに着脱可能に装着され、ポップカードｃを挟持して掲示するハンドル装着型のポップカード保持具であり、ハンドルｂに着脱自在に装着されるハンドル装着部１と、このハンドル装着部１に連設されるカード挟持部２からなる。
【００１３】
ハンドル装着部１は、弾性変形により、ハンドルｂに着脱自在に嵌合し得る断面略Ｕ字形に形成されている。ここで、断面略Ｕ字形とは、ハンドルｂの外径とほぼ同一又は若干短寸の内径をもつ環状体の一部を切り欠き、その切欠き口をハンドル装着口１１としてハンドルｂに着脱自在に嵌合し得る形状としたもので、必ずしもＵ字形でなくとも良く、Ｃ字形、円弧形などの形状も含むものである。
ハンドル装着口１１の開口縁となるハンドル装着部１の左右の末端部１２，１２は外向きに湾曲させて、ハンドルｂへの装着、装着後の取り外しが容易になされるようになっている。ハンドル装着部１の内周には、幅方向に沿うリブ１３が適宜間隔毎に形成されており、ハンドルｂに対する取付強度が増してしっかりと固定されるようになっている。
【００１４】
カード挟持部２は、ポップカードｃの縁部ｃ１の片面に添うベース面部２１と、このベース面部２１に起設されポップカードの縁部ｃ１に設けた窓孔ｃ２に差し込まれる係止片２２と、ベース面部２１の下端に回動自在に枢着すると共に係止片２２が係脱自在に係合する係合孔２３を備えた回動面部２４からなり、ベース面部２１と回動面部２４でポップカードの縁部ｃ１を挟持すると共に、窓孔ｃ２に差し込まれる係止片２２で該ポップカードの抜けを防止するようになっている。
詳しくは、係止片２２が係合孔２３に係合することで、ベース面部２１と回動面部２４によるポップカードｃの挟持状態が係止されると共に、係止片２２が窓孔ｃ２に差し込まれてポップカードｃの抜けが防止される。よって、ポップカードｃをしっかりと保持することができる。
【００１５】
ベース面部２１は、ハンドル装着部１の周壁から外方へ延出する連設部３の先端側に形成されていて、ハンドル装着部１、連設部３、ベース面部２１を一体成形品として、第一のパーツを構成している。前記回動面部２４は、該第一のパーツとは別体の成形品として第二のパーツを構成している。
そして、ベース面部２１の下端部の左右両端に軸受け用の凹部としての開口２５，２５を形成し、回動面部２４の下端部の左右両端には、前記開口２５，２５に回動自在に挿入される軸としての凸部２６，２６を形成し、これら凹部２５と凸部２６の回動自在な係合により、ベース面部２１の下端に回動面部２４が回動自在に枢着される。すなわち、ポップカード保持具Ａは、ハンドル装着部１と連設部３とベース面部２１からなる第一のパーツと、回動面部２４からなる第二のパーツとの、二部材のみで構成される。
【００１６】
連設部３における回動面部２４側の面には、リブ３１が一体形成され、回動面部２４の開き方向への回動角度を約９０度に規制するようになっている。
【００１７】
このような構成になる本例のポップカード保持具Ａは、ベース面部２１と回動面部２４でポップカードｃを挟持し、且つポップカードの窓孔ｃ２に差し込まれている係止片２２でポップカードの抜けを防止して、ポップカードｃをしっかりと保持することができる（図１〜図４参照）。
また、ハンドル装着口１１をハンドルｂの外周にあてて押し込めば、ハンドル装着部１が弾性変形してハンドルｂに嵌合し、店頭などに陳列した自転車、三輪車などにポップカードｃを掲示することができる（図５参照）。
【００１８】
また、掲示不要になった場合は、ポップカード保持具Ａをハンドルｂから引き抜くようにすれば、ハンドル装着部１が弾性変形してハンドルｂから取り外すことができる。
ハンドルｂから取り外した後は、ハンドル装着部１を持手として、団扇としても使用することもできる（図６参照）。また、ポップカードｃを装着したポップカード保持具Ａを、販売促進や宣伝用等として、展示会、店頭、街頭などで配布することもできる。
さらに、本考案に係るポップカード保持具の装着対象は、自転車や三輪車などのハンドルに必ずしも限定されず、これらハンドルと同等の外径を備えたパイプや柱体、その他の箇所に取り付けて使用可能であることは言うまでもない。
【００１９】
以上、本考案の実施形態の一例を図面に基づき説明したが、本考案に係るポップカード保持具は図示例に限定されず、実用新案登録請求の範囲の各請求項に記載された技術的思想の範疇において各種の変更が可能であることを言うまでもない。
【図面の簡単な説明】
【００２０】
【図１】本考案に係るポップカード保持具の実施形態の一例を示す斜視図で、ポップカードの装着前を表す。
【図２】図１におけるポップカードの装着後を表す。
【図３】図２におけるポップカードの正面図。
【図４】図３におけるポップカードの側面図。
【図５】ポップカード掲示用としての使用状態を示す斜視図。
【図６】団扇としての使用状態を示す斜視図。
【符号の説明】
【００２１】
Ａ：ポップカード保持具
１：ハンドル装着部
２：カード挟持部
２１：ベース面部
２２：係止片
２３：係合孔
２４：回動面部
３：連設部
ｂ：ハンドル
ｃ：ポップカード
ｃ１：縁部
ｃ２：窓孔
【図１】
0003114729.tif 000003
【図２】
0003114729.tif 000004
【図３】
0003114729.tif 000005
【図４】
0003114729.tif 000006
【図５】
0003114729.tif 000007
【図６】
0003114729.tif 000008